(57)【要約】【課題】上位置の容器を引き抜いた際に、下位置の容器に被せていた養生シートの該容器からの外れ等の不具合発生を防止できる容器の収納構造を提供する。【解決手段】上方に開口せる複数の容器１をその内外面に沿わせて養生シート９を被せた上でネスティング状に積み重ねて成る容器１の収納構造である。容器１の上方開口縁６に対して容器１の内外に跨るようにして収納補助材１０を上記養生シート９を間に挟んで被せる。収納補助材１０の外側部１３に設けた係止部２２を上記養生シート９を間に挟んで容器１に下方から係止する。収納補助材１０の内側部１４で、容器１の内面を覆う養生シート９と上側に位置する容器１の外面との間に隙間Ｓを形成するスペーサ部２３を構成する。【選択図】図１
2008290761.tif 000002
【特許請求の範囲】
【請求項１】
上方に開口せる複数の容器をその内外面に沿わせて養生シートを被せた上でネスティング状に積み重ねて成る容器の収納構造において、容器の上方開口縁に対して容器の内外に跨るようにして収納補助材を上記養生シートを間に挟んで被せ、収納補助材の外側部に設けた係止部を上記養生シートを間に挟んで容器に下方から係止し、収納補助材の内側部で、容器の内面を覆う養生シートと上側に位置する容器の外面との間に隙間を形成するスペーサ部を構成したことを特徴とする容器の収納構造。
【請求項２】
収納補助材を一枚の板紙を２つ折り状に折り曲げて形成し、この板紙で成る収納補助材の外側部に上記係止部を構成する切起し片を設け、この切起し片を梱包材から切り起こした際にできる抜き孔で取っ手用孔を構成したことを特徴とする請求項１記載の容器の収納構造。
【請求項３】
容器の上方開口縁を４つの辺縁部から成る平面視矩形状に形成し、収納補助材を一枚の板紙を２つ折り状に折り曲げて形成すると共に、この収納補助材に容器の一の辺縁部に被せる主体部と上記一の辺縁部に隣接する両辺縁部にそれぞれ被着する副体部とを備え、上記板紙の展開状態で、主体部の外側部の両端部と各副体部の外側部の一端部とを山折り線を介して連設させると共に、主体部の内側部の両端部と各副体部の内側部の一端部との間に切欠きを設けて両者を離間させておき、この一枚の板紙から成る収納補助材を容器に被せたとき、主体部の内側部の両端部で各副体部の内側部を容器の内面側に押し付けたことを特徴とする請求項１又は２記載の容器の収納構造。
【発明の詳細な説明】
【技術分野】
【０００１】
本発明は、容器の収納構造に関するものである。
【背景技術】
【０００２】
従来一般に、上方に開口せる複数の容器１を効率よく収納するためにはネスティング状に積み重ねることが行われている（たとえば特許文献１参照）。ここで、上記容器１自体が新品商品として取り扱われる場合には、表面を保護するために容器１の内外面に沿わせて袋状の養生シート９が被せられるのであり、養生シート９を被せた容器１を上記のように収納したときには、図６のように、ネスティング状に積み重ねた一対の容器１の間に養生シート９が介在することとなる。
【０００３】
ところで、上記養生シート９を介して積み重ねられた容器１群から一の容器１を取り出すには、最上位置にある容器１を上方に引き抜くことで行われる。このときには、上位置の容器１ｂを上方に引き抜いたはずみで、図６（ａ）〜（ｃ）のように、下位置の容器１ａに被せていた養生シート９が引き抜いた上位置の容器１ｂと共に上昇してしまう現象がしばしば生じてしまうものであった。
【０００４】
このように下位置の容器１ａに被せていた養生シート９が上位置の容器１ｂと共に上昇したときには、養生シート９が下位置の容器１ａからめくれ上がって上方に膨らんだようになって収納外観が悪くなるばかりか養生シート９が下側の容器１から外れてしまう恐れもあり、養生シート９を容器１に被せ直すという煩雑な作業を行う必要が生じることとなっていた。
【特許文献１】特開２００１−１３０６８７号公報
【発明の開示】
【発明が解決しようとする課題】
【０００５】
本発明は上記の点に鑑みてなされたものであり、その目的とするところは、上位置の容器を引き抜いた際に、下位置の容器に被せていた養生シートの該容器からの外れ等の不具合発生を防止できる容器の収納構造を提供することを課題とするものである。
【課題を解決するための手段】
【０００６】
上記課題を解決するために請求項１に係る容器の収納構造にあっては、上方に開口せる複数の容器１をその内外面に沿わせて養生シート９を被せた上でネスティング状に積み重ねて成る容器１の収納構造において、容器１の上方開口縁６に対して容器１の内外に跨るようにして収納補助材１０を上記養生シート９を間に挟んで被せ、収納補助材１０の外側部１３に設けた係止部２２を上記養生シート９を間に挟んで容器１に下方から係止し、収納補助材１０の内側部１４で、容器１の内面を覆う養生シート９と上側に位置する容器１の外面との間に隙間Ｓを形成するスペーサ部２３を構成したことを特徴とする。
【０００７】
これによると、ネスティング状に積み重なる上位置の容器１ｂと下位置の容器１ａの間では、上位置の容器１ｂは、その外面が下位置の容器１ａの上方開口縁６に養生シート９を介して被せた収納補助材１０の内側部１４に接するようにして、下位置の容器１ａの内部にネスティング状に挿入された状態となるのであり、つまり、上位置の容器１ｂと下位置の容器１ａの間には、収納補助材１０の内側部１４がスペーサ部２３として機能して隙間Ｓを備えるようにできたものであり、この隙間Ｓによって下位置の容器１ａに被せた養生シート９が上位置の容器１ｂの外面に接触する恐れを低減できて、下位置の容器１ａから上位置の容器１ｂを上方に引き抜いた際には養生シート９が上位置の容器１ｂとの摩擦などによって上位置の容器１ｂと共に上昇する恐れを低減することができる。また、上位置の容器１ｂにその内側部１４が接する下位置の容器１ａに被せた収納補助材１０にあっては、収納補助材１０の外側部１３に設けた係止部２２を上記養生シート９を間に挟んで容器１に下方から係止しているので、下位置の容器１ａから上位置の容器１ｂを上方に引き抜いた際のはずみで収納補助材１０が下位置の容器１ａから上方に外れてしまうことが防止されており、つまり、下位置の容器１ａから上位置の容器１ｂを上方に引き抜いた際にも収納補助材１０は養生シート９を介して下位置の容器１ａに被せた状態に維持されるのであって、この収納補助材１０によって下位置の容器１ａから養生シート９が外れることを防止できるのである。すなわち、容器１の上方開口縁６に養生シート９を介して被せた上記構成の収納補助材１０によると、下位置の容器１ａから上位置の容器１ｂを上方に引き抜いた際に、下位置の容器１ａから養生シート９が外れることを防止できるのは勿論のこと、養生シート９が下位置の容器１ａからめくれ上がることも防止でき、養生シート９を被せ直すという煩雑な作業を回避できるのである。
【０００８】
また、請求項２に係る容器の収納構造にあっては、請求項１において、収納補助材１０を一枚の板紙１０ａを２つ折り状に折り曲げて形成し、この板紙１０ａで成る収納補助材１０の外側部１３に上記係止部２２を構成する切起し片２０を設け、この切起し片２０を梱包材から切り起こした際にできる抜き孔２１で取っ手用孔２４を構成したことを特徴とする。
【０００９】
これによると、収納補助材１０を一枚の板紙１０ａで構成したことで収納補助材１０の製造コストを低廉化できる。また、容器１に被設した収納補助材１０に取っ手用孔２４を設けたので、容器１を引き抜くなどの際に該取っ手用孔２４に手を引っ掛けたりして収納状態の容器１の取扱いを容易にできる。また、板紙１０ａに設けた切起し片２０で係止部２２を構成したことによると、この切起し片２０は切り起した際には必ず抜き孔２１ができるものであって、この抜き孔２１を取っ手用孔２４として利用することで、収納補助材１０の別部位に新たに取っ手を設ける必要を無くして構成の簡単化が図られている。
【００１０】
また、請求項３に係る容器の収納構造にあっては、請求項１又は２において、容器１の上方開口縁６を４つの辺縁部６ａから成る平面視矩形状に形成し、収納補助材１０を一枚の板紙１０ａを２つ折り状に折り曲げて形成すると共に、この収納補助材１０に容器１の一の辺縁部６ａに被せる主体部１１と上記一の辺縁部６ａに隣接する両辺縁部６ａにそれぞれ被着する副体部１２とを備え、上記板紙１０ａの展開状態で、主体部１１の外側部１３ａの両端部と各副体部１２の外側部１３ｂの一端部とを山折り線ｃを介して連設させると共に、主体部１１の内側部１４ａの両端部と各副体部１２の内側部１４ｂの一端部との間に切欠き１６を設けて両者を離間させておき、この一枚の板紙１０ａから成る収納補助材１０を容器１に被せたとき、主体部１１の内側部１４ａの両端部で各副体部１２の内側部１４ｂを容器１の内面側に押し付けたことを特徴とする。
【００１１】
これによると、矩形状の容器１の上方開口縁６に収納補助材１０を被設するに際しては、収納補助材１０を主体部１１の外側部１３ａと一対の副体部１２の外側部１３ｂとの間の各山折り線ｃで折り曲げることで、主体部１１の内側部１４ａと各副体部１２の内側部１４ｂとを切欠き１６によって干渉させないようにしつつ、容器１の上方開口縁６の連続する３つの辺縁部６ａに沿わせて主体部１１と一対の副体部１２とを連続して被設できるのであり、このとき、主体部１１の内側部１４ａの両端部で各副体部１２の内側部１４ｂを容器１の内面側に押し付けたので、主体部１１の内側部１４ａが各副体部１２の内側部１４ｂの間に突っ張った状態となって収納補助材１０を容器１に強固に被せて取り付けることができる。したがって、上位置の容器１ｂを上方に引き抜いた際に収納補助材１０を下位置の容器１ａに被せた状態に確実に維持させることができ、養生シート９が下位置の容器１ａから外れたりめくれ上がる不具合を有効に防止でき、養生シート９を被せ直すという煩雑な作業を有効に回避できるのである。
【発明の効果】
【００１２】
本発明にあっては、上位置の容器を引き抜いた際に、下位置の容器に被せていた養生シートの該容器からの外れ等の不具合発生を防止して、養生シートを被せ直すという煩雑な作業を回避できる、という利点を有する。
【発明を実施するための最良の形態】
【００１３】
以下、本発明を添付図面に示す実施形態に基いて説明する。
【００１４】
本例の容器１の収納構造は、上方に開口せる容器１の内外面に沿わせて養生シート９を被せてその表面保護を図り、この状態の複数の容器１をネスティング状に積み重ねるといったものであり、収納補助材１０を容器１の上方開口縁６に養生シート９を間に挟むようにして被せたことで、養生シート９がめくれ上がるなどの不具合発生の低減を図ったものである。
【００１５】
ここで、上記容器１としては図５のような床下収納庫の合成樹脂製の収納容器が挙げられる。この容器１は、矩形状の底壁２の周縁から側壁３を立ち上げてこの側壁３の上端に外方に突出するフランジ４を設けて構成された、上方開口５を有した平面視矩形状の容器である。つまり、フランジ４が構成する容器１の上方開口縁６は４つの辺縁部６ａから成る平面視矩形状に形成されている。無論、この容器１は上述のようにネスティング状に収納可能であるため、容器１の底壁２は上方開口５よりも小さく形成され、側壁３は下方ほど容器１の内側に傾斜するように形成されている。そして、この容器１は、図５（ｂ）のように床面３２の埋設用開口３３の縁部に配設した受枠３０に対して、そのフランジ４を載置させて吊り下げるように取り付けることで、床下３４に配設されて床下収納庫を形成するものである。詳しくは、受枠３０の各辺部３０ａの長さ方向の中央部には該長さ方向に長い長孔状の係合孔３１が穿設されており、また容器１の各辺縁部６ａの長さ方向の中央部にはフランジ４の下面から該長さ方向に長い板状の係合突起７が垂設されており、容器１の受枠３０への取り付けに際しては、図５（ｃ）のように係合突起７を係合孔３１に係合させることで位置決めを伴って行い得るようにされている。
【００１６】
収納補助材１０は段ボール製の一枚の板紙１０ａから構成され、その展開図を図３に示す。上記のように一枚の板紙１０ａを段ボールで構成したので、厚みを出せたり、腰を強くしたり、後述のように折り曲げて収納補助材１０を組み立てた際に各部位が当接したり重合したりしたときに緩衝できるメリットを有する。この収納補助材１０は、その中央域に容器１の一の辺縁部６ａに亙って被せられる主体部１１が設けられ、この中央域の両側域に上記一の辺縁部６ａに隣接する一対の辺縁部６ａに被せられる副体部１２がそれぞれ設けられている。以下、展開状態において主体部１１と副体部１２との連設方向を左右方向と称して説明する。また、収納補助材１０には、容器１の外面に被さる外側部１３と容器１の内面に被さる内側部１４とが上記左右方向と垂直な方向に並設されている。以下、展開状態において内側部１４と外側部１３との並設方向を上下方向と称して説明する。
【００１７】
詳しくは、展開状態の板紙１０ａは、左右方向に長く上下方向に短い横長状に形成されており、左右対称形状を有している。また、展開状態の板紙１０ａには内側部１４となる上部域と外側部１３となる下部域とを二分するような山折り線ａ（以下第１山折り線ａという）が上下方向の中央部に左右方向に亙るように形成されている。なお、本例の内側部１４における第１山折り線ａ側の端縁部には左右方向に亙って上面部１５が設けられ、上面部１５の第１山折り線ａと反対側の端縁には山折り線ｂ（以下第２山折り線ｂという）が左右方向に亙って設けられている。上面部１５は容器１に収納補助材１０を被せた際に容器１のフランジ４の上面を平行に覆う部位であり、その幅寸法（第１山折り線ａと第２山折り線ｂとの寸法）は容器１のフランジ４の外方突出寸法と略同様かそれ以上の寸法になるように形成されている。
【００１８】
また、主体部１１の外側部１３ａにおける左右方向の両端部と各副体部１２の外側部１３ｂにおける主体部側の端部とは山折り線ｃ（以下第３山折り線ｃという）を介して連設されており、また、主体部１１の内側部１４ａにおける左右方向の両端部と各副体部１２の内側部１４ｂにおける主体部側の端部との間には切欠き１６が設けられて両者が離間されている。切欠き１６は上方側ほど切欠き幅が広くなるような平面視略三角形状に形成されており、第３山折り線ｃは三角形の頂点となる切欠き１６の下端から始まるように設けられている。
【００１９】
また、切欠き１６に臨む各副体部１２の内側部１４ｂの端縁には、主体部側に突出した重合片１７が形成されると共に、この重合片１７の上方側に隣接して板紙１０ａの左右方向の端部方向に凹むような係合凹部１８が形成されている。なお、重合片１７はその根元部で谷折り線ｆを介して副体部１２に連設されている。また、切欠き１６に臨む主体部１１の端縁における上端部には副体部側に突出する係合突片１９が形成されていて、係合突片１９と係合凹部１８とが切欠き１６を介して対向するようにされている。
【００２０】
また、主体部１１の外側部１３ａにおける左右方向の中央部には切起し片２０（以下第１切起し片２０ａという）が形成されている。この第１切起し片２０ａはその下側端が外側部１３への接続端とされており、この接続端には第１切起し片２０ａを主体部１１の外側部１３ａから立たせるための山折り線ｄ（以下第４山折り線ｄという）が左右方向に亙って設けられている。本例の第１切起し片２０ａは左右方向に長い長円形状の片であり、主体部１１の外側部１３ａから切り起したときには主体部１１の外側部１３ａに左右方向に長い長円状の抜き孔２１が形成されるようになっている。
【００２１】
また、連設される主体部１１と副体部１２の各外側部１３に跨るように切起し片２０（以下第２切起し片２０ｂという）が形成されている。この第２切起し片２０ｂはその上側端が外側部１３への接続端とされており、この接続端には第２切起し片２０ｂを主体部１１や副体部１２の外側部１３ｂから立たせるための山折り線ｅ（以下第５山折り線ｅという）が左右方向に亙って設けられている。本例の第２切起し片２０ｂは左右方向に長い略矩形状の片であり、主体部１１の外側部１３ａから切り起したときには主体部１１の外側部１３ａに左右方向に長い略矩形状の抜き孔２１が形成されるようになっている。なお、第２切起し片２０ｂの左右方向の中央部には第３山折り線ｃが上下方向に貫くように通っている。
【００２２】
展開状態で上述のように形成された収納補助材１０は、各折り線ａ〜ｆで山折りに折り曲げるなどして立体形状にすることで、養生シート９を被せた容器１の上方開口縁６に沿わせて被着されるようになっている。なお、立体形状の収納補助材１０は、第１山折り線ａや第２山折り線ｂの折曲げによって外側部１３と内側部１４が対面するような２つ折り状（断面逆Ｕ字状）になると共に、第３山折り線ｃの折曲げによって主体部１１と一対の副体部１２が平面視コ字状に位置されるようになる。詳しくは、図２のように１つの容器１には２つの収納補助材１０が被せられる。一対の収納補助材１０は、各主体部１１を容器１の対向する一対の辺縁部６ａにそれぞれ被せ、主体部１１を被せた辺縁部６ａと隣接する辺縁部６ａとの角部を跨いで各副体部１２を該隣接する辺縁部６ａの一部（角部近傍）にそれぞれ被せるようにして、容器１への被着が行われる。
【００２３】
容器１に被せた収納補助材１０にあっては、容器１の外面を覆う外側部１３では、主体部１１の外側部１３ａから第２山折り線ｂでの山折りによって斜め上内方に起した第１切起し片２０ａが容器１のフランジ４の下面に下側から突っ張るようにして係止される係止部２２となっている。なおこのとき、係止部２２となる第１切起し片２０ａは、図１のようにフランジ４の係合突起７と容器１の外面との間に挿入されるのであり、係合突起７が第１切起し片２０ａのフランジ４の下面への係止状態を維持させる抜け止めとして機能している。
【００２４】
また、主体部１１と副体部１２との角部における外側部１３では、第２切起し片２０ｂが第５山折り線ｅでの山折りにて外側部１３の内面に積層するように折り返されるのであり、この折返された第２切起し片２０ｂをフランジ４の下面に下方から係止させる係止部２２として機能させることも可能にされている。
【００２５】
また、主体部１１と副体部１２との角部における内側部１４では、主体部１１の内側部１４ａと各副体部１２の内側部１４ｂとが切欠き１６によって干渉しないようにされつつ、主体部１１の内側部１４ａの両端部で各副体部１２の内側部１４ｂを容器１の内面側に押し付けるようにされている。詳しくは、各副体部１２の重合片１７はその根元部に設けた谷折り線ｆで谷折りして主体部１１の内側面と容器１の内面との間に挿入されるのであり、主体部１１の内側部１４ａの端縁が重合片１７の根元部に突き当てられることで、主体部１１の内側部１４ａの両端部で各副体部１２の内側部１４ｂを容器１の内面側に押し付けるようにしており、各副体部１２のめくれ上がりが主体部１１によって規制されている。また、このとき主体部１１と副体部１２との角部における内側部１４では、主体部１１の各係合突片１９が各副体部１２の係合凹部１８に挿入されて、主体部１１のめくれ上がりが副体部１２により規制されている。
【００２６】
上述のように養生シート９、収納補助材１０が順に被せられた容器１は、図１のようにネスティング状に積み重ねることで収納されるのであるが、このときには、上位置の容器１ｂの外面が下位置の容器１ａに被設された収納補助材１０の内側部１４に接触してつっかえるようになる。すなわち、収納補助材１０の内側部１４は、上位置の容器１ｂの外面と下位置の容器１ａの内面との間に隙間Ｓを形成させるスペーサ部２３として機能するようになる。上記隙間Ｓによると、下位置の容器１ａに内面に被さる養生シート９が、上位置の容器１ｂの外面（詳しくは該外面に被さる養生シート９）と接触しないようにできる。殊に、本例の板紙１０ａが段ボールで構成されて成る収納補助材１０においては、スペーサ部２３として機能する内側部１４の厚み寸法を厚くすることができたため、比較的幅のある隙間Ｓを形成できて、下位置の容器１ａに内面に被さる養生シート９と上位置の容器１ｂの外面（詳しくは該外面に被さる養生シート９）とを接触しにくくできたものである。
【００２７】
したがって、上位置の容器１ｂを下位置の容器１ａから上方に引き抜いたときには、下位置の容器１ａに被せた養生シート９が上位置の容器１ｂとの摩擦などによって上位置の容器１ｂと共に上昇してしまう恐れが低減されているのである。また、上位置の容器１ｂにその内側部１４が接する下位置の容器１ａに被せた収納補助材１０にあっては、収納補助材１０の外側部１３に設けた係止部２２を上記養生シート９を間に挟んで容器１に下方から係止させたり、主体部１１の内側部１４ａの両端部で各副体部１２の内側部１４ｂを容器１の内面側に押し付けると共に係合突片１９を係合凹部１８に挿入させて主体部１１及び各副体部１２のめくれ上がりをそれぞれ規制させているので、下位置の容器１ａから上位置の容器１ｂを上方に引き抜いた際のはずみで収納補助材１０が下位置の容器１ａから上方に外れてしまうことも有効に防止されている。つまり、下位置の容器１ａから上位置の容器１ｂを上方に引き抜いた際にも収納補助材１０は養生シート９を介して下位置の容器１ａに被せた状態に維持されるのであって、この収納補助材１０によって下位置の容器１ａから養生シート９が外れることを防止できるのである。すなわち、容器１の上方開口縁６に養生シート９を介して被せた上記構成の収納補助材１０によると、下位置の容器１ａから上位置の容器１ｂを上方に引き抜いた際に、下位置の容器１ａから養生シート９が外れることを防止できるのは勿論のこと、養生シート９が下位置の容器１ａからめくれ上がることも防止でき、養生シート９を被せ直すという煩雑な作業が回避されているのである。
【００２８】
また、収納補助材１０を容器１に被設したときには、係止部２２を構成する切起し片２０を切り起した際にできる抜き孔２１が取っ手用孔２４として利用できるようにされている。つまり、上記抜き孔２１に挿入した指によると、容器１のフランジ４の下面に引っ掛けて容器１を上方に引き抜くなど、容器１の取り扱いを容易にできる。特に、第１切起し片２０ａを切り起した際にできる抜き孔２１を取っ手用孔２４として利用した場合には、フランジ４の下面に突設した係合突起７に対して取っ手用孔２４に通した指をすべりにくく引っ掛けることができて、容器１の取り扱いを極めて容易にできる。このように収納補助材１０の切起し片２０は切り起した際には必ず抜き孔２１ができるものであるが、この抜き孔２１を取っ手用孔２４としたことで、収納補助材１０の別部位に新たに取っ手を設ける必要を無くすることができたものであり、収納補助材１０の構成の簡単化が図られている。
【図面の簡単な説明】
【００２９】
【図１】本発明の実施の形態の例であり、（ａ）は容器の収納状態の側断面図であり、（ｂ）は（ａ）のＡ部の拡大図である。
【図２】同上の収納補助材を被設した容器の斜視図である。
【図３】同上の収納補助材の展開図である。
【図４】同上の収納補助材を容器に被せる途中の要部の斜視図である。
【図５】同上の容器を説明するものあって、（ａ）は床下収納庫の要部の斜視図であり、（ｂ）は床下収納庫の配設構造の側断面図であり、（ｃ）は容器の受枠への取り付けに係る要部の側断面図である。
【図６】（ａ）〜（ｃ）は従来技術の問題を説明する側断面図である。
【符号の説明】
【００３０】
１  容器
１ａ  下位置の容器
１ｂ  上位置の容器
６  上方開口縁
９  養生シート
１０  収納補助材
１１  主体部
１２  副体部
１３  外側部
１４  内側部
１６  切欠き
２０  切起し片
２１  抜き孔
２２  係止部
２３  スペーサ部
２４  取っ手用孔
【図１】
2008290761.tif 000003
【図２】
2008290761.tif 000004
【図３】
2008290761.tif 000005
【図４】
2008290761.tif 000006
【図５】
2008290761.tif 000007
【図６】
2008290761.tif 000008